(57)【要約】【課題】製造工程の増加およびコスト上昇を招かずに図柄を立体的に認識可能にする遊技機のリールテープを提供する。【解決手段】本発明に係る遊技機のリールテープ１００は、テープ基材１０１と、テープ基材１０１の一方の面に設けられた図柄１０２と、テープ基材１０１の一方の面における背景領域１０３ａに設けられた背景部１０３とを備え、背景部１０３は、背景領域１０３ａ上に印刷形成された凹凸１１１ａを有する凹凸メジウムインク層１１１と、凹凸メジウムインク層１１１の上に重ねて印刷形成された光沢顔料を含む光沢メジウムインク層１１２と、光沢メジウムインク層１１２の上に重ねて印刷形成された所定の背景色を有する背景色層１１３とを有している。【選択図】  図７
2004181015.tif 000002
【特許請求の範囲】
【請求項１】
テープ基材と、
前記テープ基材の一方の面に設けられた図柄と、
前記テープ基材の前記一方の面における前記図柄を除く背景領域に設けられた背景部とを備え、
前記背景部は、
前記テープ基材の前記一方の面における前記背景領域上に印刷形成された凹凸を有する凹凸メジウムインク層と、
前記凹凸メジウムインク層の上に重ねて印刷形成された光沢顔料を含む光沢メジウムインク層と、
前記光沢メジウムインク層の上に重ねて印刷形成された所定の背景色を有する背景色層とを有することを特徴とする遊技機のリールテープ。
【請求項２】
前記テープ基材と、前記凹凸メジウムインク層と、前記光沢メジウムインク層とがそれぞれ透明であることを特徴とする請求項１に記載の遊技機のリールテープ。
【発明の詳細な説明】
【０００１】
【発明の属する技術分野】
本発明は、スロットマシンやパチンコ機等の遊技機に用いられるリールテープに関し、さらに詳しくは、リールテープに描かれる図柄の表示方法に関する。
【０００２】
【従来の技術】
リールテープを備えた遊技機の代表例としてスロットマシンがある。スロットマシンは、略直方体状のキャビネットケース内に多種の図柄が描かれたリールを回転可能に配設して構成される。キャビネットケースの正面にはリールと位置整合して透視窓が配設されており、多種の図柄が描かれたリールの所定範囲をスロットマシンの機体正面に臨ませている。リールは、円筒状のリール本体と、多種の図柄が描かれたリールテープとを主体に構成され、リールテープをリール本体の円筒外周面に装着することで、リール（リール本体）の円筒外周面に沿って多種の図柄が形成される。
【０００３】
従来のリールテープは、リールテープの表面に単に各種図柄を印刷しただけものであって、リールテープの表面に印刷された各種図柄は全て平面的に表示されるため、スロットマシンの重要な表示物であるにもかかわらず、透視窓を通してリールテープを見たときにスロットマシンの正面に付された装飾模様等との識別力に欠ける感じがあった。
【０００４】
そこで、リールテープの図柄に立体感を付加することにより、透視窓を通して図柄を見たときの印象ないし視覚的効果を増加させるため、例えば、実開昭６２−９０６８５号公報や特開平４−２０８１７６号公報で開示されるように、リールテープの図柄が描かれた表面部分を他の部分より突出もしくは浮き出させて立体的に形成することが知られている。また、リールテープの図柄を除いた背景部分に特定の背景図柄を描き、リールテープの図柄が背景部分よりも浮き上がって見える錯覚を引き起こすようにしたものも開示されている（例えば、特許文献３参照）。
【０００５】
【特許文献１】実開昭６２−９０６８５号公報
【特許文献２】特開平４−２０８１７６号公報
【特許文献３】特開平８−３０８９８１号公報
【０００６】
【発明が解決しようとする課題】
しかしながら、リールテープの図柄が描かれた表面部分を他の部分より突出させる（もしくは浮き出させる）場合には、従来のリールテープの製造工程に加え、リールテープの図柄部分を裏側から押圧したり、あるいは図柄の型版をテープ表面に固着するというような工程が付加されてリールテープの製造工程が増加するため、リールテープのコスト上昇を招いていた。
【０００７】
本発明はこのような問題に鑑みてなされたものであり、製造工程の増加およびコスト上昇を招かずに図柄を立体的に認識可能にする遊技機のリールテープを提供することを目的とする。
【０００８】
【課題を解決するための手段】
このような目的達成のため、本発明に係る遊技機のリールテープは、テープ基材と、テープ基材の一方の面に設けられた図柄と、テープ基材の一方の面における図柄を除く背景領域に設けられた背景部とを備え、背景部は、テープ基材の一方の面における背景領域上に印刷形成された凹凸を有する凹凸メジウムインク層と、凹凸メジウムインク層の上に重ねて印刷形成された光沢顔料を含む光沢メジウムインク層と、光沢メジウムインク層の上に重ねて印刷形成された所定の背景色を有する背景色層とを有することを特徴とする。
【０００９】
このような構成の遊技機のリールテープによれば、テープ基材の他方の面からテープ基材を通して図柄および背景部を見たときに、背景部が凹凸メジウムインク層および光沢メジウムインク層により凹凸状の模様を有するように描かれることで、図柄が背景部に対して浮き上がって見える錯覚を起こすため、リールテープの図柄部分を裏側から押圧したり、あるいは図柄の型版をテープ表面に固着するというような工程を付加する必要がなく、製造工程の増加およびコスト上昇を招かずに図柄を立体的に認識することができる。
【００１０】
また、テープ基材と、凹凸メジウムインク層と、光沢メジウムインク層とがそれぞれ透明であることが好ましい。このようにすれば、テープ基材の他方の面からテープ基材を通して図柄および背景部を見たときに、より明確に図柄および背景部を認識することができる。
【００１１】
【発明の実施の形態】
以下、本発明の好ましい実施形態について図面を参照しながら説明する。本発明に係るリールテープを備えた遊技機の代表例としてスロットマシンＳＭを図１および図２に示しており、まず、これらの図面を参照しながらスロットマシンＳＭの全体構成について要約説明する。ここで、図１はスロットマシンＳＭの斜視図、図２は上記スロットマシンＳＭにおける前面扉を取り外した状態を示す正面図である。
【００１２】
スロットマシンＳＭは、前面側に開口を有する箱状の筐体２と、この開口を開閉自在に覆って取り付けられる前面扉３とから構成される略直方体状のキャビネットケース１内に遊技構成装置を配設して構成される。前面扉３は、筐体２および前面扉３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１３】
筐体２の内部には、円筒外周面に沿って多種の図柄が設けられた三つのリール７０，７０，７０が遊技構成装置として回転可能に配設されており、さらに筐体２の内部には、三つのリール７０，７０，７０を回転・停止駆動させるリールユニット５０、遊技メダルの払出を行うメダル払出装置（ホッパとも称される）２１、スロットマシンＳＭの作動を統括的に制御する主制御基板２２、リールユニット５０やメダル払出装置２１、主制御基板２２等の構成機器に電力を供給する電源装置２３などが取り付けられている。
【００１４】
一方、前面扉３には、メダル投入口３１、スタートレバー３２や停止ボタン３３，３３，３３等や、左右の上部スピーカ３４，３４および下部スピーカ３５等が取り付けられ、図示しないワイヤーハーネス（電気配線）で筐体２側の主制御基板２２や電源装置２３などと接続されている。また前面扉３の中間部には、三つのリール７０，７０，７０と位置整合して透視窓３７が配設されており、三つのリールの所定範囲を機体正面に臨ませている。さらに前面扉３の中央下部には、前面扉３に設けられたメダル通路（図示せず）と位置整合してメダル払出口３８が設けられるとともに、その下部に受け皿３９が配設されており、図示しないメダルセレクタから返却される返却メダルや、メダル払出装置２１から払い出された遊技メダルがメダル払出口３８を通過して受け皿３９で受け止められ貯留されるように構成されている。
【００１５】
このように構成されたスロットマシンＳＭでは、遊技者がメダル投入口３１より遊技メダルを投入し、スタートレバー３２を操作すると、三つのリール７０，７０，７０が回転起動する。遊技者は回転している三つのリール７０，７０，７０を任意に選択し、所望の順序及びタイミングで停止ボタン３３，３３，３３を操作して、三つのリール７０，７０，７０を停止させる。
【００１６】
回転していた三つのリール７０，７０，７０が全て停止すると、入賞図柄の判定、すなわち当たりかはずれかの判定が行われ、図柄の組み合わせが予め定められた入賞図柄の組み合わせに該当するときには、メダル払出装置２１より所定枚数の遊技メダルが払い出される。なお、このとき上部スピーカ３４，３４および下部スピーカ３５より効果音が発生する。
【００１７】
このように本スロットマシンＳＭで遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００１８】
次に、図３および図４を参照しながら、リールユニット５０について説明する。ここで、図３はリールユニット５０の斜視図、図４はリールユニット５０に構成されるリール装置６０の分解斜視図である。リールユニット５０は、図３に示すように、三つのリール７０，７０，７０をそれぞれ回転・停止駆動する三つのリール装置６０，６０，６０と、三つのリール装置６０，６０，６０を収容保持するユニットケース５１とを主体に構成される。
【００１９】
ユニットケース５１は、樹脂および金属製の板材を組み合わせて箱状に形成され、各リール７０，７０，７０の回転軸がほぼ一致した状態で、三つのリール装置６０，６０，６０が内部に収容されるように構成される。このとき、三つのリール装置６０，６０，６０は、ユニットケース５１の内部に収容された状態で、ラッチ等による固定装置６６，６６，…によりユニットケース５１に収容固定されるようになっている。
【００２０】
リール装置６０は、図４に示すように、円筒外周面に沿って多種の図柄が設けられたリール７０と、リール７０を回転駆動するリールモータ６１と、リール７０の回転検出を行う回転検出センサ６２と、リール７０の円筒外周面を照らし出すバックランプ６３と、これらが取り付けられるベース板６４とを主体に構成される。
【００２１】
リールモータ６１は、所定の制御信号により作動するステッピングモータであり、リールモータ６１のモータ軸６１ａには、リール７０がこのモータ軸６１ａと一体回転するように取り付けられる。また、リールモータ６１は、ユニットケース５１の上部に取り付けられたリール装置基板５３と電気的に接続されており、リール装置基板５３から出力された回転・停止駆動信号により、リールモータ６１が回転もしくは停止作動するようになっている。すなわち、リール装置基板５３により、リール７０およびリールモータ６１の回転・停止作動制御が行われるようになっている。
【００２２】
回転検出センサ６２は、所定の検出光を発光する発光部６２ａと、発光部６２ａからの検出光を検出する受光部６２ｂとを備えたビームセンサであり、発光部６２ａと受光部６２ｂとの間にリール７０に設けられた遮光突起７２が位置すると、回転検出センサ６２の検出光が遮られるようになっている。
【００２３】
また、回転検出センサ６２は、リール装置基板５３と電気的に接続されており、回転検出センサ６２からの検出信号がリール装置基板５３に入力されるようになっている。すなわち、リール装置基板５３により、回転検出センサ６２からの検出信号に基づいて、リール７０における遮光突起７２の形成位置を回転基準位置としてリール７０の回転検出が行われるようになっている。
【００２４】
バックランプ６３は、リール７０の内側周部に位置するようにベース板６４に取り付けられており、リール７０の円筒外周面における所定領域が照らし出されるようになっている。また、バックランプ６３は、ユニットケース５１の上部に取り付けられたバックランプ中継基板５４と電気的に接続されており、バックランプ中継基板５４から出力された点灯信号により、バックランプ６３が点灯するようになっている。
【００２５】
ベース板６４は、樹脂材料を用いて射出成形等の成形手段により板状に一体的に形成され、中央部にリールモータ６１およびリール７０が取り付けられるとともに、取付ステー６５を用いて回転検出センサ６２およびバックランプ６３が取り付けられている。そして、リールモータ６１およびリール７０、そして回転検出センサ６２やバックランプ６３がベース板６４に取り付けられた状態で、図３に示すように、三つのベース板６１，６１，６１、すなわち三つのリール装置６０，６０，６０がユニットケース５１の内部に収容されるようになっている。
【００２６】
ベース板６４の上下端部前方には、ラッチ等による固定装置６６，６６が設けられており、ベース板６４（すなわちリール装置６０）をユニットケース５１の内部で収容固定することができるようになっている。ベース板６４の中央部前方には、扇形のカバー６７が設けられており、透視窓３７を通してリール７０を見たときに、三つのリール７０，７０，７０同士の隙間からリールモータ６１等のリールユニット５０の内部構成装置が見えないようになっている。
【００２７】
さて、リール７０は、リール本体７１を主体に構成され、ネジ等の固定手段によりリールモータ６１のモータ軸６１ａに取り付けられて、モータ軸６１ａと一体回転するようになっている。リール本体７１は、樹脂材料を用いて射出成形等の成形手段により円筒状に一体的に形成される。そして、リール本体７１の円筒外周面には、多種の図柄が設けられた本発明に係るリールテープ１００が装着されており、リールテープ１００をリール本体７１の円筒外周面に装着することで、リール７０（リール本体７１）の円筒外周面に沿って多種の図柄が形成されるようになっている。
【００２８】
次に、図５〜図７を参照しながら、本発明に係るリールテープ１００について説明する。ここで、図５はリールテープ１００の正面図、図６はリールテープ１００を簡略化して示す正面拡大図、そして図７は図６中の矢印ＶＩＩ−ＶＩＩに沿った断面図である。
【００２９】
リールテープ１００は、各図に示すように、透明のテープ基材１０１と、テープ基材１０１の一方の面に所定間隔をおいて設けられた複数種の図柄１０２，１０２，…と、テープ基材１０１の一方の面における各種図柄１０２，１０２，…を除く背景領域１０３ａに設けられた背景部１０３とを備え、テープ基材１０１の他方の面から透明のテープ基材１０１を通して見ることで、各種図柄１０２，１０２，…および背景部１０３を認識可能に構成される。
【００３０】
なお、三つのリールテープ１００，１００，１００は、図５および図６に示すように、各種図柄１０２，１０２，…の配列がそれぞれ異なっているが、構成は同様であるため同一部位に同一番号を付して重複説明を省略する。
【００３１】
テープ基材１０１は、ポリカーボネート等の透明な樹脂材料を用いて帯状に形成される。そして、図７に示すように、テープ基材１０１の一方の面には、図柄１０２および背景部１０３が設けられている。図柄１０２は、テープ基材１０１の一方の面において図柄１０２が設けられる図柄領域１０２ａ上に印刷形成された図柄色層１１５と、図柄色層１１５の上に重ねて印刷形成された白層１１６とを備えて構成される。
【００３２】
図柄色層１１５は、図柄１０２を形成する多色インク層であり、スクリーン印刷法によりテープ基材１０１の一方の面における図柄領域１０２ａ上に印刷形成される。そして、テープ基材１０１の他方の面から透明なテープ基材１０１を通して図柄色層１１５を見ることで、図柄１０２を認識することができるようになっている。
【００３３】
白層１１６は、白色インク層であり、スクリーン印刷法により図柄色層１１５および背景部１０３における背景色層１１３の上に重ねて印刷形成される。これにより、テープ基材１０１の他方の面から透明なテープ基材１０１を通して図柄色層１１５を見たときに、白層１１６が図柄色層１１５の下地となって、図柄色層１１５すなわち図柄１０２をより見やすくすることができる。
【００３４】
背景部１０３は、テープ基材１０１の一方の面において背景部１０３が設けられる背景領域１０３ａ上に印刷形成された凹凸メジウムインク層１１１と、凹凸メジウムインク層１１１の上に重ねて印刷形成された光沢メジウムインク層１１２と、光沢メジウムインク層１１２の上に重ねて印刷形成された背景色層１１３と、背景色層１１３の上に重ねて印刷形成された白層１１６と、白層１１６の上に重ねて印刷形成された銀止め層１１７とを備えて構成される。
【００３５】
凹凸メジウムインク層１１１は、凹凸１１１ａを有する透明なインク層であり、スクリーン印刷法によりテープ基材１０１の一方の面における背景領域１０３ａ上に印刷形成される。
【００３６】
スクリーン印刷法により凹凸メジウムインク層１１１を得るには、例えば、紫外線照射により硬化するメジウムインク（図示せず）をテープ基材１０１の背景領域１０３ａ上に点在させるように塗布し、背景領域１０３ａ上に点在するメジウムインクが平坦化する過程でＵＶ照射機（図示せず）により紫外線を照射してメジウムインクを短時間で硬化させる。これにより、背景領域１０３ａ上に点在していたメジウムインクが平坦化する前に硬化し、凹凸１１１ａを有する透明な凹凸メジウムインク層１１１を得ることができる。なお、上記に限らず、印刷時に凹凸（シボとも称される）が得られるメジウムインクを用いてもよい。
【００３７】
光沢メジウムインク層１１２は、光沢顔料を含む透明なインク層であり、スクリーン印刷法により凹凸メジウムインク層１１１の上に重ねて印刷形成される。そして、光沢メジウムインク層１１２に含まれる光沢顔料により、背景部１０３にパール状の光沢感やラメ状の光沢感が得られるようになっている。
【００３８】
このとき、印刷時における重力の作用により凹凸１１１ａの凹部１１１ｂに光沢顔料が溜まりやすいため、凹凸１１１ａにおける凹部１１１ｂと凸部１１１ｃとの間に光沢顔料の濃度差が発生し、光沢メジウムインク層１１２において光沢顔料による輝度の高低が発生する。なお、光沢顔料には、パール状の光沢感が得られるものとして、例えば、天然雲母に二酸化チタンや酸化鉄を被覆したパール顔料等があり、また、ラメ状の光沢感が得られるものとして、例えば、比較的粒子の大きいアルミニウム粉からなるアルミニウム顔料等がある。
【００３９】
背景色層１１３は、所定の背景色を有するインク層であり、スクリーン印刷法により光沢メジウムインク層１１２の上に重ねて印刷形成される。そして、テープ基材１０１の他方の面から透明なテープ基材１０１、凹凸メジウムインク層１１１および光沢メジウムインク層１１２を通して背景色層１１３を見ることで、背景部１０３を認識することができるようになっている。
【００４０】
これにより、テープ基材１０１の他方の面から透明なテープ基材１０１、凹凸メジウムインク層１１１および光沢メジウムインク層１１２を通して背景色層１１３、すなわち背景部１０３を見ると、凹凸メジウムインク層１１１および光沢メジウムインク層１１２により、光沢メジウムインク層１１２において光沢顔料による輝度の高低が発生するため、背景部１０３が凹凸状の模様を有するように認識される。
【００４１】
そして、リールテープ１００の図柄１０２および背景部１０３を見たときに、背景部１０３における図柄１０２付近の凹んで見える部分、すなわち輝度の低い部分（相対的に暗い部分）を図柄１０２の陰影部分と錯覚し、図柄１０２が背景部１０３に対して浮き上がって見える錯覚を起こすため、図柄１０２を立体的に認識することができる。そのため、リールテープの図柄部分を裏側から押圧したり、あるいは図柄の型版をテープ表面に固着するというような工程を付加する必要がなく、製造工程の増加およびコスト上昇を招かずに図柄１０２を立体的に認識することができる。
【００４２】
白層１１６は、前述したように、スクリーン印刷法により図柄色層１１５および背景色層１１３の上に重ねて印刷形成される。これにより、テープ基材１０１の他方の面から透明なテープ基材１０１、凹凸メジウムインク層１１１および光沢メジウムインク層１１２を通して背景色層１１３を見たときに、白層１１６が背景色層１１３の下地となって、背景色層１１３すなわち背景部１０３をより見やすくすることができる。
【００４３】
銀止め層１１７は、光が透過しない有色インク層であり、スクリーン印刷法により背景部１０３における白層１１６の上に重ねて印刷形成される。これにより、リール７０の内側周部、すなわちテープ基材１０１の一方の面側においてバックランプ６３を発光させると、図柄１０２の部分ではバックランプ６３からの光が透過するが、背景部１０３の部分では銀止め層１１７によりバックランプ６３からの光が透過しないため、バックランプ６３を用いてリールテープ１００における図柄１０２のみを効果的に照らし出すことができる。
【００４４】
以上のように構成されるリールテープ１００において、テープ基材１０１の他方の面から透明のテープ基材１０１を通して図柄１０２および背景部１０３を見たときに、凹凸メジウムインク層１１１および光沢メジウムインク層１１２により図柄１０２が背景部１０３に対して浮き上がって見える錯覚を起こすため、図柄１０２を立体的に認識することができる。
【００４５】
また、テープ基材１０１と、凹凸メジウムインク層１１１と、光沢メジウムインク層１１１とがそれぞれ透明であるため、テープ基材１０１の他方の面からテープ基材１０１を通して図柄１０２および背景部１０３を見たときに、より明確に図柄１０２および背景部１０３を認識することができる。
【００４６】
そして、リールテープ１００を粘着テープ等の装着手段（図示せず）を用いてリール本体７１の円筒外周面に装着することで、リール７０（リール本体７１）の円筒外周面に沿って多種の図柄１０２，１０２，…が形成され、この状態でリール７０が使用に供される。
【００４７】
以上のような構成のリールテープ１００によれば、テープ基材１０１の他方の面からテープ基材１０１を通して図柄１０２および背景部１０３を見たときに、背景部１０３が凹凸メジウムインク層１１１および光沢メジウムインク層１１２により凹凸状の模様を有するように描かれることで、図柄１０２が背景部１０３に対して浮き上がって見える錯覚を起こすため、リールテープの図柄部分を裏側から押圧したり、あるいは図柄の型版をテープ表面に固着するというような工程を付加する必要がなく、製造工程の増加およびコスト上昇を招かずに図柄１０２を立体的に認識することができる。
【００４８】
また、テープ基材１０１と、凹凸メジウムインク層１１１と、光沢メジウムインク層１１１とがそれぞれ透明であるため、テープ基材１０１の他方の面からテープ基材１０１を通して図柄１０２および背景部１０３を見たときに、より明確に図柄１０２および背景部１０３を認識することができる。
【００４９】
なお、上述の実施形態において、背景部１０３が、凹凸１１１ａを有する透明の凹凸メジウムインク層１１１と、光沢顔料を含む透明の光沢メジウムインク層１１２と、所定の背景色を有する背景色層１１３とを備えて構成されているが、これに限られるものではなく、背景部が、凹凸を有する透明の凹凸メジウムインク層と、光沢顔料を含んだ所定の背景色を有する背景色層とを備えて構成されていてもよい。
【００５０】
このようにすれば、上述の実施形態と同様に、凹凸メジウムインク層および光沢顔料を含む背景色層により背景部が凹凸状の模様を有するように描かれて、図柄が背景部に対して浮き上がって見える錯覚を起こすため、製造工程の増加およびコスト上昇を招かずに図柄を立体的に認識することができる。なおこのとき、背景色層は、光沢顔料の輝度を妨げない色を有していることが好ましい。
【００５１】
また、上述の実施形態において、本発明に係るリールテープ１００がスロットマシンＳＭに用いられているが、これに限られるものではなく、例えば、パチンコ機等、回転可能なリールを備えた遊技機に本発明に係るリールテープを用いることができる。
【００５２】
【発明の効果】
以上説明したように、本発明による遊技機のリールテープによれば、テープ基材の他方の面からテープ基材を通して図柄および背景部を見たときに、背景部が凹凸メジウムインク層および光沢メジウムインク層により凹凸状の模様を有するように描かれることで、図柄が背景部に対して浮き上がって見える錯覚を起こすため、リールテープの図柄部分を裏側から押圧したり、あるいは図柄の型版をテープ表面に固着するというような工程を付加する必要がなく、製造工程の増加およびコスト上昇を招かずに図柄を立体的に認識することができる。
【００５３】
また、テープ基材と、凹凸メジウムインク層と、光沢メジウムインク層とがそれぞれ透明であることが好ましい。このようにすれば、テープ基材の他方の面からテープ基材を通して図柄および背景部を見たときに、より明確に図柄および背景部を認識することができる。
【図面の簡単な説明】
【図１】本発明に係るリールテープを備えた遊技機の一例として示すスロットマシンの斜視図である。
【図２】上記スロットマシンにおける前面扉を取り外した状態を示す正面図である。
【図３】リールユニットの斜視図である。
【図４】リール装置の分解斜視図である。
【図５】本発明に係るリールテープの正面図である。
【図６】上記リールテープを簡略化して示す正面拡大図である。
【図７】図６中の矢印ＶＩＩ−ＶＩＩに沿った断面図である。
【符号の説明】
ＳＭ  スロットマシン
１  キャビネットケース
２  筐体
３  前面扉
４  施錠装置
２１  メダル払出装置
２２  主制御基板
２３  電源装置
３１  メダル投入口
３２  スタートレバー
３３  停止ボタン
３４  上部スピーカ
３５  下部スピーカ
３７  透視窓
３８  メダル払出口
３９  受け皿
５０  リールユニット
５１  ユニットケース
５３  リール装置基板
５４  バックランプ中継基板
６０  リール装置
６１  リールモータ（６１ａ  モータ軸）
６２  回転検出センサ（６２ａ  発光部、６２ｂ  受光部）
６３  バックランプ
６４  ベース板
６５  取付ステー
６６  固定装置
６７  カバー
７０  リール
７１  リール本体
７２  遮光突起
１００  リールテープ
１０１  テープ基材
１０２  図柄（１０２ａ  図柄領域）
１０３  背景部（１０３ａ  背景領域）
１１１  凹凸メジウムインク層
（１１１ａ  凹凸，１１１ｂ  凹部，１１１ｃ  凸部）
１１２  光沢メジウムインク層
１１３  背景色層
１１５  図柄色層
１１６  白層
１１７  銀止め層
【図１】
2004181015.tif 000003
【図２】
2004181015.tif 000004
【図３】
2004181015.tif 000005
【図４】
2004181015.tif 000006
【図５】
2004181015.tif 000007
【図６】
2004181015.tif 000008
【図７】
2004181015.tif 000009